(57)【特許請求の範囲】
【請求項１】
脊柱管拡大術の処置に関連して、分割された層の第１セクションを前記分割された層の第２セクションから離して間隔を空けるため、インプラントツール（１１０１）によって配置されるように構成される装置（９０１）であって、前記装置は、
前記分割された層の前記第１セクションに取り付けられる第１部分であって、前記分割された層の前記第１セクションに入れられる第１ファスナー（９０３ｂ、９０３ｃ）を受容する少なくとも一つの貫通ホールを含む第１部分と、
前記分割された層の前記第２セクションに取り付けられる第２部分であって、前記分割された層の前記第２セクションに入れられる第２ファスナー（９０３ａ）を受容する少なくとも一つの貫通ホール（９０９）を含む第２部分と、
前記第１部分と前記第２部分とを接続する中間部分であって、前記第１部分と第２部分とが、第１軸線に沿って互いに離れて間隔が空けられて前記第１軸線に略垂直な第２軸線に沿って互いにオフセットされるように、前記第１部分と前記第２部分とを接続する中間部分と、
前記中間部分に接続されて、前記分割された層の前記第１セクションに係合する延在部と、を備え、
前記中間部分は、当該中間部分の端部に形成される開口部（９１１）であって、当該装置の前記第１部分に隣接する位置にあって、前記インプラントツールを受容するように作動可能な開口部（９１１）を備えており、
前記延在部及び前記第１部分は前記中間部分から離れて略同一の方向に延びる、装置。
【請求項２】
前記中間部分の前記開口部は内側壁を備えており、前記内側壁は、前記内側壁の頂部から前記内側壁の底部に向かって内側に傾斜して前記インプラントツールの第１部分に接触し、
前記第１部分の端面は、前記第１部分の頂部から前記第１部分の底部に向かって内側に傾斜して前記インプラントツールの第２部分に接触する、請求項１に記載の装置。
【請求項３】
前記中間部分の開口部は、前記インプラントツールの第１部分から突出するエクステンション部材によって係合されるように作動可能である、請求項１に記載の装置。
【請求項４】
前記中間部分の前記開口部は前記装置を貫通する、請求項１に記載の装置。
【請求項５】
前記第１ファスナー及び前記第２ファスナーの少なくともいずれか一方は骨ねじである、請求項１に記載の装置。
【請求項６】
前記第１ファスナー及び前記第２ファスナーの少なくともいずれか一方はセルフタッピング骨ねじである、請求項５に記載の装置。
【請求項７】
前記第１部分は、前記分割された層の前記第１セクションに入れられる複数のファスナーをそれぞれ受容する略円形の貫通ホールを有する、請求項１に記載の装置。
【請求項８】
前記第２部分は、前記分割された層の前記第２セクションに入れられる複数のファスナーをそれぞれ受容する略円形の貫通ホールを有する、請求項１に記載の装置。
【請求項９】
前記第２部分を貫通する前記複数のホールは直線上に配列される、請求項８に記載の装置。
【請求項１０】
前記第２部分の前記ホールはスロットの形態である、請求項１に記載の装置。
【請求項１１】
前記スロットは少なくとも一つの戻り止めを有する、請求項１０に記載の装置。
【請求項１２】
前記分割された層の前記第１セクション及び前記分割された層の前記第２セクションの少なくともいずれか一方からの骨の成長を受容する装置に取り付けられる骨成長受容要素を更に有する、請求項１に記載の装置。
【請求項１３】
前記骨成長要素は、前記装置の前記中間部分を貫通して前記骨成長受容要素に入る少なくとも一つのファスナーによって前記装置に取り付けられる、請求項１２に記載の装置。
【請求項１４】
前記骨成長受容要素は自然の骨である、請求項１３に記載の装置。
【請求項１５】
前記延在部は、前記中間部分から延び、前記分割された層の前記第１セクションの少なくとも一部を受容するスペースを形成する前記第１部分と前記第２部分との間の位置に延びる、請求項１に記載の装置。
【請求項１６】
前記延在部は、前記第１ファスナーが前記分割された層の前記第１セクションに入れられるときに、前記分割された層の前記第１セクションの少なくとも一部を支持するように構成される、請求項１５に記載の装置。
【請求項１７】
前記装置は、(ａ)チタンと（ｂ）チタン合金とを含むグループから選択される材料を含む、請求項１に記載の装置。
【請求項１８】
前記分割された層の前記第１セクションに近接する前記第１部分の面及び前記分割された層の前記第２セクションに近接する前記第２部分の面の少なくともいずれか一方に凹凸が形成される、請求項１に記載の装置。
【請求項１９】
前記凹凸は、前記分割された層の前記第１セクションと、前記分割された層の前記第２セクションの少なくともいずれか一方に対する前記装置の位置の維持を補助する、請求項１８に記載の装置。
【請求項２０】
前記凹凸は、（ａ）歯、(ｂ)溝および（ｃ）リッジを含むグループから選択される、請求項１９に記載の装置。
【請求項２１】
前記第１部分と前記第２部分とは互いに略平行に配置される、請求項１に記載の装置。
【請求項２２】
前記第１部分と前記第２部分とは互いに対してある角度で配置される、請求項１に記載の装置。
【請求項２３】
脊柱管拡大術の処置に関連して、分割された層の第１セクションを分割された層の第２セクションから離して間隔を開けるシステムであって、
（ｉ）スペーサであって、
（ａ）前記分割された層の前記第１セクションに取り付けられる第１部分であって、前記分割された層の前記第１セクションに入れられる第１ファスナーを受容する少なくとも一つの貫通ホールを有する第１部分と、
（ｂ）前記分割された層の前記第２セクションに取り付けられる第２部分であって、前記分割された層の前記第２セクションに入れられる第２ファスナーを受容する少なくとも一つの貫通ホールを有する第２部分と、
（ｃ）前記第１部分と前記第２部分とを接続する中間部分であって、前記第１部分と前記第２部分とが、第１軸線に沿って互いに離れて間隔を空けられて前記第１軸線に略垂直な第２軸線に沿って互いにオフセットされるように、前記第１部分と前記第２部分とを接続する中間部分と、
（ｄ）前記中間部分に接続されて前記第１部分に向かう方向に延び、前記分割された層の前記第１セクションに係合する延在部であって、前記中間部分が、当該中間部分の端部に形成される開口部（９１１）であって、当該装置の前記第１部分に隣接する位置にあって、前記インプラントツールを受容するように作動可能な開口部（９１１）を備える、延在部と、
（ｅ）インプラントツール受容ホールと、
（ｆ）前記第１部分の端面と、を有するスペーサと、
（ｉｉ）はさみ機構を有しており、ピボットで固定される第１細長要素と第２細長要素によって形成されるインプラントツールであって、
（ａ）前記第１細長要素の第１端部に第１オペレータ把持要素と、
（ｂ）前記第２細長要素の第１端部に第２オペレータ把持要素と、
（ｃ）前記第１細長要素の第２端部に第１インプラント連結要素と、
（ｄ）前記第２細長要素の第２端部に第２インプラント連結要素と、
を有し、
（ｅ）前記第１インプラント連結要素が前記スペーサの前記インプラントツール受容ホールに係合するように構成され、
（ｆ）前記第２インプラント連結要素が前記スペーサの前記第１部分の前記端面に係合するように構成される、インプラントツールと、を備えるシステム。
【請求項２４】
インプラントツール受容ホールの内側壁の少なくとも一つは、前記インプラントツールの前記第１インプラント連結構成要素に接触するように、前記内側壁の頂部から前記内側壁の底部に向かって内側に傾斜しており、
前記第１部分の端面は、前記インプラントツールの前記第２インプラント構成要素に接触するように、前記第１部分の頂部から前記第１部分の底部に向かって内側に傾斜している、請求項２３に記載のシステム。
【請求項２５】
前記スペーサは、インプラントツール受容ホールに配置された前記インプラントツールの前記第１インプラント連結構成要素と、前記第１部分の端面に対して押圧する前記インプラントツールの前記第２インプラント連結構成要素と、のクランプ動作によって、前記インプラントツールに取り外し可能に連結される、請求項２３に記載のシステム。
【請求項２６】
前記スペーサの前記第１部分は、前記中間部分と前記第１部分の端面との間に延びる二つのサイド部分を有し、
前記インプラントツールは、前記インプラントツールの前記第１インプラント連結構成要素及び前記インプラントツールの前記第２インプラント連結構成要素の少なくともいずれか一方から突出する第１下側エクステンションを有し、
前記インプラントツールは、前記インプラントツールの前記第１インプラント連結構成要素及び前記インプラントツールの前記第２インプラント連結構成要素の少なくともいずれか一方から突出する第２下側エクステンションを有し、
前記第１及び前記第２下側エクステンションは、前記インプラントツール受容ホールと前記スペーサの端面とが前記インプラントツールで係合されたときに、前記スペーサの前記サイド部分に当接するように構成される、請求項２３に記載のシステム。
【請求項２７】
前記インプラントツールの前記第１インプラント連結構成要素及び前記インプラントツールの前記第２インプラント連結構成要素の少なくともいずれか一方は、前記インプラントツールが前記スペーサに連結される間に、前記ファスナーが前記分割された層の前記第１セクションに入れられることを可能にするように構成される、請求項２３に記載のシステム。
【請求項２８】
前記インプラントツールの前記第１インプラント連結構成要素及び前記インプラントツールの前記第２インプラント連結構成要素の少なくともいずれか一方は、前記インプラントツールが前記スペーサに連結される間に、前記ファスナーが前記分割された層の前記第１セクションに入れられることを可能にする少なくとも一つの貫通ホールを有する、請求項２７に記載のシステム。
【請求項２９】
前記インプラントツールの前記第１インプラント連結構成要素は、前記インプラントツールが前記スペーサに連結される間に、前記ファスナーが前記分割された層の前記第１セクションに入れられることを可能にする少なくとも一つの貫通ホールを有する、請求項２８に記載のシステム。
【請求項３０】
前記インプラントツールの前記第２インプラント連結構成要素は、前記インプラントツールが前記スペーサに連結される間に、前記ファスナーが前記分割された層の前記第１セクションに入れられることを可能にする少なくとも一つの貫通ホールを有する、請求項２８に記載のシステム。
【請求項３１】
脊柱管拡大術の処置に関連して、分割された層の第１セクションを前記分割された層の第２セクションから離して間隔を空けるため、インプラントツール（１１０１）によって配置されるように構成される装置（９０１）であって、
前記分割された層の前記第１セクションに取り付けられる第１部分であって、前記分割された層の前記第１セクションに入れられる第１ファスナー（９０３ｂ、９０３ｃ）を受容する少なくとも二つの貫通ホールを含む第１部分と、
前記分割された層の前記第２セクションに取り付けられる第２部分であって、前記分割された層の前記第２セクションに入れられる第２ファスナー（９０３ａ）を受容する少なくとも一つの貫通ホール（９０９）を含む第２部分と、
前記第１部分と前記第２部分とを接続する中間部分であって、前記第１部分と第２部分とが、第１軸線に沿って互いに離れて間隔が空けられて前記第１軸線にほぼ垂直な第２軸線に沿って互いにオフセットされるように、前記第１部分と前記第２部分とを接続する中間部分と、
前記分割された層の前記第１セクションに係合するために前記中間部分に接続されて、前記中間部分から離れて前記第１部分と略同一の長手方向に延びる延在部と、を備え、
前記中間部分は、当該中間部分の端部に形成される開口部（９１１）であって、当該装置の前記第１部分に隣接する位置にあって、前記インプラントツールを受容するように作動可能な開口部（９１１）を備えており、
前記第１部分の少なくとも二つの貫通ホールは前記長手方向に略垂直な横軸線に沿って整列される、装置。
【請求項３２】
前記分割された層の前記第１及び第２セクションの間に配置されて前記装置に係合する受容要素であって、前記延在部を受容する溝を有する受容要素をさらに備える、請求項３１に記載の装置。
【請求項３３】
前記受容要素は骨成長受容要素である、請求項３２に記載の装置。
【請求項３４】
前記受容要素は自然の骨である、請求項３２に記載の装置。
【発明の詳細な説明】
【技術分野】
【０００１】
本発明のさまざまな実施形態は、骨プレート装置と骨プレート装置の使用方法に関する。
【０００２】
より詳細には、一実施形態において、骨プレート装置および／または方法は、脊柱管拡大術の処置に関して使用されることも可能である。
【背景技術】
【０００３】
脊柱管拡大術の分野のさまざまな特許文献の例は、以下の物を含む。
【０００４】
ヌル（Null)らの米国特許公開公報第２００４００３０３８８は、脊柱管拡大術装置および方法に関する。より詳細には、脊柱管拡大術のプレートは、脊椎管に対して所望の間隔を維持する、分割された層の少なくとも一部に係合可能である。脊柱管拡大術のプレートは、分割層部分の少なくとも一部によって形成されるギャップを補う、第１端部と第２端部を有するスペーサ部分を含む。脊柱管拡大術のプレートは、分割層部分に係合する一端部の層係合部分を含むことが出来る。
【０００５】
カスロー（Cathro)らの米国特許第６，０８０，１５７は、層を安定させる装置に関する。より詳細には、脊柱管拡大術後に層の動きを安定させる装置が、層の切断された端部間を係合するよう形成されるスペーサを含む。装置はまた、手術位置で、スペーサを維持するように構成されたスペーサに取り付けられる固定装置を含む。脊柱管拡大術後に層を動的に安定させる方法がまた提供され、その方法は、層の切断された端部間のスペーサを位置付ける段階と、手術位置でスペーサを維持する固定装置を位置付ける段階と、を含む。
【０００６】
カーナ(Khanna)の米国特許公開公報第２００３０１２５７３８号は、層の安定方法およびシステムを伴う、脊柱管拡大術に関する。より詳細には、脊柱管拡大術後の層を安定ささせる固定装置および方法が記載されている。装置は、骨のファスナーを受容するいくつかのホールを伴うプレートを有する。プレートは、脊椎構造の外形に合わせるように湾曲していて、固定位置で変位する層に係合する付属物を有する。あるいは、そのプレートは、その中央に、変位する位置で層に係合して融合するように、骨融合スペーサを有する。オープンドア、ダブルドア、または拡張した脊柱管拡大術の技術のいずれか一つの後で、層の動きを安定するいくつかの方法が提供される。
【０００７】
チャング（Chung)らの米国特許第６，７１２，８５２は、脊柱管拡大術のケージに関する。より詳細には、脊髄の手術で使用する医療のインプラント装置、より好ましくは、脊柱管拡大術の手術で使用する医療のインプラント装置が提供される。インプラントは、概して中空で、開端部を有する細長い本体を有するケージ状の部材である。細長い本体は、４サイドを有する。すなわち、対向する頭側と尾側そして、頭側と尾側に近接する、対向する前側と後側。４サイドは長手方向軸に沿って伸びて、対向する第１と第２の開口端部間に延びる、内腔を形成する。
【０００８】
アンジェルシー（Angelucci)らの米国特許第６，６３５，０８７は、脊柱管拡大術のインプラントとその使用方法に関する。より詳細には、脊柱で使用するインプラントが開示されている。インプラントは、異種移植片と一体となる骨の同種移植片を有する。プレートは、対向する脊柱セグメントを固定する端部と、変形可能なフィンガーを使用する同種移植片、または同種移植片の保持部分を受容するような大きさの中空部分、または固定タブに係合する、中間部分を有する。インプラントの使用方法がまた開示されている。
【０００９】
アンゲルチー（Angelucci)らの米国特許公開公報第２００３００４５９３５号は、脊柱管拡大術のインプラントとその使用方法に関する。より詳細には、切断された脊椎の骨の間の距離を維持するインプラントが開示されている。インプラントは金属、ポリマーまたは骨の同種移植片から作られ、切断された骨の端部に適合するように互いに対して、傾斜する端部を有する。インプラントは骨形成材料を詰める中空領域を有している。インプラントの端部は、滑りを減少する突出面を有する。骨の同種移植片から作られるインプラントは、また、脊椎とインプラント間の融合を早めるように、鉱物を除いた骨から作られる端部を有する。インプラントの使用方法がまた開示される。
【００１０】
アンゲルチー（Angelucci)らの米国特許公開公報第２００２０１２０３３５は、脊柱管拡大術のインプラントとその使用方法に関する。より詳細には、切断された脊椎の骨の間の距離を維持するインプラントが開示される。インプラントは、切断された骨の端部に適合するように構成される端部を有する、金属、ポリマーまたは骨の同種移植片から作られる。インプラントは、骨形成材料を詰める中空領域を有する。インプラントの端部は、滑りを減少する突出面を有する。骨の同種移植片から作られるインプラントは、また、脊椎とインプラントの融合を早めるように、鉱物を除いた骨から作られる、脊椎接触端部を有する。それらはまた、インプラントを脊椎に固定するための骨のフラップを有していてもよい。インプラントの使用方法がまた開示される。
【発明の開示】
【００１１】
開示された利点と改良との間にある、本発明の他の目的と利点が、添付図面と併せて理解される以下の記載から明確になるであろう。図面は、この明細書の一部を構成し、説明に役立つ本発明の実施形態と、説明に役立つさまざまな目的とその特徴と、を含む。
【発明を実施するための最良の形態】
【００１２】
本発明の詳細な実施形態は、ここで開示される。しかしながら、開示される実施形態は様々な形式で具体化可能な、本発明の単なる実例であることが理解されよう。加えて、本発明のさまざまな実施形態に関連して与えられる例の一つは、実例を目的としており、限定することを目的としない。更に、図面は必ずしも一定の縮尺ではなく、いくつかの特徴は、特定の構成要素の詳細を示すために誇張されることもある。従って、ここで開示される特定の構造と機能の詳細は、限定するように解釈されず、単に、当業者が本発明をさまざまに使用するための代表的な基準である。
【００１３】
図１を参照すると、（図２Ｂと図２Ａは、図１の骨プレート装置の斜視分解図を示す）本発明に係る骨プレート装置の一実施形態が示される。これらの図で示されるように、骨プレート１０１は、骨ねじ１０３ａ、１０３ｂおよび１０３ｃを使用して骨に取り付けられてもよい。一実施形態（実例を目的とし、限定することを目的としない）では、骨プレート１０１は、２０ｍｍ〜３０ｍｍ間の長さを有してもよい（例えば、骨プレート１０１は、多くの異なった長さで設けることも可能である）。別の例（実例を目的とし、限定することを目的としない）では、それぞれの骨ねじ１０３ａ、１０３ｂおよび１０３ｃは、セルフタッピング骨ねじである。別の例（実例を目的とし、限定することを目的としない）では、それぞれの骨ねじ１０３ａ、１０３ｂおよび１０３ｃは、１．５ｍｍ、２．０ｍｍおよび２．７ｍｍを含むグループ（しかしこれに制限されない）から選択される直径を有する。別の例（実例を目的とし、限定することを目的としない）では、それぞれの骨ねじ１０３ａ、１０３ｂおよび１０３ｃは、４ｍｍ〜８ｍｍの間で、０．１ｍｍごと増加する長さを有していてもよい。
【００１４】
更に、固定プレート１０５（それ自体がファスナー１０７（例えば、小ねじ）によって適所に保持されてもよい）は、ねじの後退を防ぐのに、役立つために使用されてもよい（図２Ａと２Ｂは、固定プレート１０５とファスナー１０７を最も明確に示す）。
【００１５】
更にまた、スロット１０９（異なった保持位置または戻り止めを有してもよい（これらの図で示されるように）および／または、スロットの中のどこにおいても基本的に、自由に位置決めを可能にするために、そのような戻り止めを有してなくてもよい）は、個々の患者の骨格への適応を助けるために、設けられてもよい。
【００１６】
更にまた、１以上の突出部（または「歯」）は、インプラント中、および／またはインプラント後の位置を維持するのを助けるために設けられてもよい（多くのそのような歯が示されるが、これらの図には、個々に番号はふられていない）。
【００１７】
更にまた、底の形状は、これらの図で示されるように流線型であってもよい（例えば、脊椎の内側への貫通を減少するために）。
【００１８】
図３Ａ、３Ｂおよび３Ｃを参照すると、図１の骨プレート装置の平面図、側面図および正面図が示されている。注目すべきは、これらの図で特定される寸法は、もちろん実例であり、限定するものではない。
【００１９】
図４Ａ、４Ｂおよび４Ｃを参照すると、本発明の実施形態に係る、骨プレート装置の平面図、側面図および正面図が示されている。注目すべきは、これらの図は、骨ねじを示さずに、骨プレート装置を示している。更に注目すべきは、これらの図で特定される寸法は、もちろん実例であり、限定するものではない。
【００２０】
図５Ａ、５Ｂおよび５Ｃを参照すると、本発明の実施形態に係る、骨プレート装置の平面図、側面図および正面図が示されている。注目すべきは、これらの図は、骨ねじを示さずに、骨プレート装置を示している。更に注目すべきは、これらの図で特定される寸法は、もちろん実例であり、限定するものではない。
【００２１】
本発明に係る骨プレート装置の使用の一例を参照すると（実例を目的として、限定することを目的としない）、この例の下で、「オープンドア脊柱管拡大術」（脊椎は、ドアのように前後に揺れて開くように作られる）は単純化されて、および／または安定性が維持されることが可能であることに注目すべきである。（そのような単純化／安定性は、従来の脊柱管拡大術の段階および／または構成要素を、本発明の段階および／または構成要素に置き換える、および／または、従来の脊柱管拡大術の段階および／または構成要素に本発明の段階および／または構成要素を補うことによって得られる（例えば、ここで説明した骨プレート装置の実施形態と共に）。そのようなオープンドア脊柱管拡大術は、主に、首の限定された脊柱管で行なわれ（例えば、痛みのある限定された脊柱管）、脊柱管拡大術は、脊髄と脊髄神経根の間に更なる空間を作ることによって、（例えばすぐに）圧力を軽減する。
より詳細には、そのような脊柱管拡大術は、主に、以下のように行なわれる。
・外科医が患者の首の後ろを切開する。
・外科医が頸椎の一方の側に溝を切り下げて、「ヒンジ」を設ける。
・頚椎の他方の側の全部を通して切る。
・ドアのように開くための、骨用の空間を作るために、外科医は、脊髄突起の先端を取り除く。
・脊髄と脊髄神経根の圧力を下げるために、外科医はそれぞれの脊椎の後ろの開口を曲げる（ヒンジ上のドアのように）。
・外科医は、ドアの開いた空間に、骨で作られたほぼくさび形状のものを配置する。
・外科医は、ドアが前後に揺れて閉まるのを可能にする。くさびが、ドアがずっと閉まることから防ぐので、脊髄と脊髄神経根間には、更なる空間が得られる。
【００２２】
図６を参照して、切開ツール６０１は、患者への切開を助けるのに使用されてもよい（例えば、配置を素早くそして簡単にする）、そして、切開ツール６０１は、ハンドル６０３.シャフト６０５およびモニタ機構６０７（骨プレートを保持するため、および／または骨プレートに関連するさまざまなネジの回転を助けるために使用されてもよい）を含んでもよい。
【００２３】
図７に関して、本発明の実施形態に係る、骨プレート装置の切断図が示される。注目すべきは、この図は、明確に、小ねじ保持ねじ山７０５と同様に戻り止め７０３ａ、７０３ｂおよび７０３ｃを示す。
【００２４】
図８を参照して、本発明の実施形態に係る、２つの骨プレートの別の斜視図が示される。
【００２５】
別の実施形態では、すぺての構成要素のいくつかは、工業用純物質（チタンおよび／またはチタン合金）を含み、または、基本的に全体が工業用純物質から作られる。
【００２６】
別の実施形態では、本発明の使用に関する指示は、以下の物を含んでもよい（しかしそれに限定されない）。
・頸椎用（Ｃ２〜Ｃ７）の脊柱管拡大術プレートとして使用する。
・矢状に分ける骨切り術の後で、骨セグメントの固定（例えば恒久的な固定）用の、顎矯プレートとして使用する。
【００２７】
図９を参照して、本発明に係る骨プレート装置の別の実施形態が示される。この図で示されるように、骨プレート９０１は、骨ねじ９０３ａ、９０３ｂおよび９０３ｃを使用して骨に取り付けられてもよい。一例（実例を目的として、限定することを目的としない）では、骨プレートは、２０ｍｍと３０ｍｍの間の長さを有する（例えば、骨プレート９０１は、多くの異なった長さで設けられてもよい）。別の例（実例を目的として、限定することを目的としない）では、それぞれの骨ねじ９０３ａ、９０３ｂおよび９０３ｃは、セルフタッピング骨ねじでもよい。別の例（実例を目的として、限定することを目的としない）では、それぞれの骨ねじ９０３ａ、９０３ｂおよび９０３ｃは、１．５ｍｍ、２．０ｍｍおよび２．７ｍｍ（これらに限定されないが）を含むグループから選択される直径を有してもよい。別の例（実例を目的として、限定することを目的としない）では、それぞれの骨ねじ９０３ａ、９０３ｂおよび９０３ｃは、０．１ｍｍごと増加する、４ｍｍ〜８ｍｍの長さを有する。
【００２８】
更に、骨接触要素９０５は、ファスナー９０７（例えば、一個のねじ）によって、適所に保持されてもよい。この骨接触要素９０５は、脊柱管拡大術の処置後に、分割された層の第１セクションを分割された層の第２セクションから離して間隔を開けるのに用いられてもよい、および／または、骨接触要素９０５は、脊柱管拡大術の処置後に分割された層の第１セクションおよび／または分割された層の第２セクションに骨プレート９０１を固定するように設けられてもよい（そのような固定は、たとえば骨の成長のメカニズムにより、与えられてもよい）。
【００２９】
一例（実例を目的として、限定することを目的としない）では、骨接触要素９０５は、骨（例えば異なった骨(allograph bone)を有する。
【００３０】
別の例（実例を目的として、限定することを目的としない）では、ファスナー９０７は、骨ねじでもよい。
【００３１】
更にまた、スロット９０９（異なった保持位置または戻り止め（この図で示されるように）を有してもよい）および／またはスロットの中のどこにおいても基本的に自由に位置決めを可能にするために、そのような戻り止めを有さなくてもよい）は、個々の患者の骨格への適応を助けるために設けられてもよい。
【００３２】
更にまた、ホール９１１は、挿入ツール（以下でより詳細に説明される）と係合するように設けられてもよい。
【００３３】
更にまた、１以上の突出部（または「歯」）は、インプラント中、および／またはインプラント後（多くの歯が示されるが、この図に個々の番号は付されていない）に位置を維持するのを助けるために設けられてもよい。
【００３４】
更にまた、底の形状は、この図で示されているように流線型でもよい（例えば脊柱の内側への貫通を減少するために）。
【００３５】
図１０Ａ、１０Ｂおよび１０Ｃを参照して、図９の骨プレート装置の、平面図、側面図および正面図が示される。
【００３６】
図１１〜１４を参照して、挿入ツール１１０１（例えば、はさみのような装置）は、患者への骨プレート９０１の挿入を助けるために使用されてもよい。更に、挿入ツール１１０１は、オペレータ把持要素１１０３ａと１１０３ｂ（例えば、複数のフィンガーホール）、第１および第２の細長い部材１１０５ａと１１０５ｂ、ピボット１１０７および骨プレート連結要素１１０９ａと１１０９ｂを含むことがわかる。更に、インプラントツール１１０１は、開放可能なラチェットロック機構１１０８を含むことがわかる。更に、第２の骨プレート連結要素１１０９ｂは、いかなる好ましいファスナー駆動装置によって、第２骨プレート連結要素１１０９ｂを通して、層に１以上のファスナーを打ち込むことを可能にする、ホールを含むことがわかる（注目すべきは、明確にするため、骨プレート９０１は、関連するファスナー９０３ａ、９０３ｂ、９０３ｃ、９０７、骨接触要素９０５またはファスナー駆動装置を除いた、図１１〜１４で、示されている）。
【００３７】
図１２〜１４をより詳細に参照すると、挿入ツール１１０１と骨プレート９０１間の連結が設けられていることがわかる。例えば、クランプ動作をする少なくとも一部に設けられる。すなわち、連結は、少なくとも以下の一部から生じる。
（ａ）第１骨プレート連結要素１１０９ａの一部は、ホール９１１に入り、壁９１１ａに一致し、第２骨プレート連結要素１１０９ｂに対して力を加える。（ｂ）第２骨プレート連結要素１１０９ｂは、端部面９０１ａに一致し、第１骨プレート連結要素１１０９ａに対して力を加える。
【００３８】
一例（実例を目的として、限定することを目的としない）では、骨プレート９０１と挿入ツール１１０１間の連結は、ほぞの構成であり、内側壁９１１ａと端面９０１ａは、内側に傾斜していて、第１骨プレート連結要素１１０９ａと第２骨連結要素１１０９ｂは、整合する角度を有する。
【００３９】
別の例（実例を目的として、限定することを目的としない）では、連結は、第１骨プレート連結要素１１０９ａと第２骨プレート連結要素１１０９ｂ間のクランプ動作からそれほど多く生じるのではなく、むしろインプラントツール１１０１と骨プレート９０１間のインターフェースの幾何学的構成による（例えば、添付の骨プレート９０１インプラントツール１１０１に作用する、ほぞのインターフェース構成による）。
【００４０】
別の例（実例を目的として、限定することを目的としない）では、第２骨プレート連結要素１１０９ｂは、その中に骨プレート９０１を固定する、エクステンション１１０９ｃと１１０９ｄを含んでもよい（例えば、内側壁９１１ａと端部面９０１ａに係合されるときに、骨プレート９０１が横方向に動くことから保護するために（図１２参照のこと９）。
【００４１】
本発明の多くの実施形態が説明されたが、これらの実施形態は単なる実例であって、限定ではないことが理解されよう、そして、当業者にとって多くの変更は明白であろう。例えば、本発明は、層に送られる３つの骨ねじに対して、主に説明されるが、もちろんいかなる所望の数が使用されてもよい。更に、歯、溝および／またはリッジが、骨プレート装置上のいかなる所望の位置に配置されることも可能である。更にまた、１以上のスロットは、一以上の骨スクリューに使用されることもできる。更にまた、いかなる所望の数の戻り止めが使用されることもできる。更にまた、骨プレートの位置間の角度は、いかなる所望の角度でもよい。更にまた、骨プレートに対して、１以上の骨ねじを固定するいかなる所望の機構が使用されることもできる（上述した固定プレートの代わりに、または上述した固定プレートに加えて）。更にまた、骨プレート装置はもちろんいかなる所望の大きさでも良い（例えば、いかなる所望の患者、男、女、又は子どもに対して）。更にまた、本発明の骨プレート装置は、装置の「ライン」または「ファミリー」で設けられてもよい（例えば小、中、大、大人と子ども、男と女）。更にまた、本発明の骨プレート装置は、標準の大きさで設けられてもよい。更にまた、１以上の構成要素はチタン、コバルトクロム、外科手術用スチールおよび／またはそれらのいかなる組み合わせで構成されてもよい。更にまた、「ホール」は、いかなる所望の形状（例えば、円、正方形、楕円、矩形など）でもよく、構造の厚さの一部または全部を通して延びていてもよい。更にまた、ファスナーを入れることを可能にするホールは、インプラントツールの第２骨プレート連結要素の図で示されるが、装置は、もちろん、ホールがインプラントツールの第１骨連結プレート連結要素に、代わりに（または更に）配置されるように、構成されることができる。同様に、エクステンションは、インプラントツールの第２骨連結要素の図で示されるが、装置は、もちろんエクステンションがインプラントツールの第１骨プレート連結要素に代わりに（または更に）配置されるように構成されることができる。更にまた、製造および／または使用に関するいかなる段階もいかなる所望の順番で行なうことが可能である。
【図面の簡単な説明】
【００４２】
【図１】本発明に係る骨プレート装置の一実施形態の斜視図である。
【図２Ａ】図１の骨プレート装置の斜視分解図である（ある角度からの骨プレート装置）。
【図２Ｂ】図１の骨プレート装置の斜視分解図である（別の角度からの骨プレート装置）。
【図３Ａ】図１の骨プレート装置の平面図である。
【図３Ｂ】図１の骨プレート装置の側面図である。
【図３Ｃ】図１の骨プレート装置の正面図である。
【図４Ａ】本発明の別の実施形態に係る骨プレート装置の平面図である。
【図４Ｂ】本発明の別の実施形態に係る骨プレート装置の側面図である。
【図４Ｃ】本発明の別の実施形態に係る骨プレート装置の正面図である。
【図５Ａ】本発明の別の実施形態に係る骨プレート装置の平面図である。
【図５Ｂ】本発明の別の実施形態に係る骨プレート装置の側面図である。
【図５Ｃ】本発明の別の実施形態に係る骨プレート装置の正面図である。
【図６】本発明の実施形態に係る骨プレート装置の斜視図である。
【図７】本発明の実施形態に係る骨プレート装置の切断図である。
【図８】本発明の実施形態に係る２つの骨プレート装置の別の斜視図である。
【図９】本発明の別の実施形態に係る骨プレート装置の斜視分解図である。
【図１０Ａ】図９の骨プレート装置の平面図である。
【図１０Ｂ】図９の骨プレート装置の側面図である。
【図１０Ｃ】図９の骨プレート装置の正面図である。
【図１１】本発明の実施形態に係る骨プレート装置の斜視図と、本発明の実施形態にかかる、骨プレート装置に関連した挿入ツールである。
【図１２】図１１に示される骨プレート装置と挿入ツール間の係合領域の斜視図である。
【図１３】図１１で示される骨プレート装置と挿入ツールの別の図である。
【図１４】図１３のＥ-Ｅ線で切った詳細断面図である。
【図１】
0004819871.tif 000002
【図２Ａ】
0004819871.tif 000003
【図２Ｂ】
0004819871.tif 000004
【図３Ａ】
0004819871.tif 000005
【図３Ｂ】
0004819871.tif 000006
【図３Ｃ】
0004819871.tif 000007
【図４Ａ】
0004819871.tif 000008
【図４Ｂ】
0004819871.tif 000009
【図４Ｃ】
0004819871.tif 000010
【図５Ａ】
0004819871.tif 000011
【図５Ｂ】
0004819871.tif 000012
【図５Ｃ】
0004819871.tif 000013
【図６】
0004819871.tif 000014
【図７】
0004819871.tif 000015
【図８】
0004819871.tif 000016
【図９】
0004819871.tif 000017
【図１０Ａ】
0004819871.tif 000018
【図１０Ｂ】
0004819871.tif 000019
【図１０Ｃ】
0004819871.tif 000020
【図１１】
0004819871.tif 000021
【図１２】
0004819871.tif 000022
【図１３】
0004819871.tif 000023
【図１４】
0004819871.tif 000024